(57)【要約】【課題】電子スケールの目盛線の視認性を向上させ、様々な３次元仮想物体の寸法を精度よく測定する。【解決手段】本発明の実施の形態に係る３次元電子スケールのプログラムは、３次元ＣＡＤ装置において、設計データ等を読み込んで表示画面に表示される３次元仮想物体の寸法を測定するための電子スケールとして、凹状又は凸状の目盛線１２を有する３次元電子スケール１０を表示画面に表示させる。すなわち、電子スケール１０自体を立体的に表示させ、かつ、その目盛線１２を凹条等又は凸条等に表示させる。これにより、ＣＡＤ装置の表示画面内に仮想配置される光源からの光を受けることによって、電子スケール１０の目盛線１２に陰影が付加され、目盛線１２の視認性を向上することができる。このため、様々な３次元仮想物体の寸法を、精度よく測定することが可能となる。【選択図】図１
2017126119.tif 000002
【特許請求の範囲】
【請求項１】
３次元ＣＡＤ装置の表示画面に表示される３次元仮想物体の寸法を測定するための３次元電子スケールを、前記表示画面に表示するためのプログラムであって、
前記３次元電子スケールは、凹状又は凸状の目盛線を有することを特徴とする３次元電子スケールのプログラム。
【発明の詳細な説明】
【技術分野】
【０００１】
本発明は、３次元ＣＡＤ装置の表示画面に３次元電子スケールを表示するためのプログラムに関するものである。
【背景技術】
【０００２】
３次元ＣＡＤ装置において、設計データ等に基づき表示画面に表示された３次元仮想物体の寸法を測定する手段の１つとして、表示画面に電子スケールを表示させるものが挙げられる。例えば、特許文献１には、ＣＡＤ装置の表示画面に、目盛線を赤色にすると共にスケール本体部分を半透明にした電子スケールを表示する技術が開示されている。この従来の電子スケールは、表示画面内で３次元仮想物体に重ね合わせて用いられ、又、ＣＡＤ装置の表示画面に表示される入力枠や設定ボタン等を介して、表示倍率等の設定が行われる。
【先行技術文献】
【特許文献】
【０００３】
【特許文献１】特開２０１３−６１７１３号公報
【発明の概要】
【発明が解決しようとする課題】
【０００４】
ここで、３次元ＣＡＤ装置の表示画面には、設計データ等に応じて、様々な色が混在した３次元仮想物体が表示される。このため、上述した従来の電子スケールは、３次元仮想物体に重ねられると、３次元仮想物体の重ねられた部分の色によっては、赤色の目盛線が視認し難くなる場合がある。又、ＣＡＤ装置の表示画面内に仮想配置される光源の影響により、光源の位置、照射方向、明るさ等の条件の組み合わせによっては、目盛線の視認性が低下する虞がある。
【０００５】
本発明は上記課題に鑑みてなされたものであり、その目的とするところは、電子スケールの目盛線の視認性を向上させ、様々な３次元仮想物体の寸法を精度よく測定することにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではない。そのため、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）３次元ＣＡＤ装置の表示画面に表示される３次元仮想物体の寸法を測定するための３次元電子スケールを、前記表示画面に表示するためのプログラムであって、前記３次元電子スケールは、凹状又は凸状の目盛線を有する３次元電子スケールのプログラム（請求項１）。
本項に記載の３次元電子スケールのプログラムは、３次元ＣＡＤ装置において、設計データ等を読み込んで表示画面に表示される３次元仮想物体の寸法を測定するための電子スケールとして、凹状又は凸状の目盛線を有する３次元電子スケールを表示画面に表示させるものである。すなわち、電子スケール自体を立体的に表示させ、かつ、その目盛線を凸条等、又は凹条等に表示させる。これにより、ＣＡＤ装置の表示画面内に仮想配置される光源からの光を受けることによって、電子スケールの目盛線に陰影が付加され、目盛線の視認性が向上する。このため、３次元ＣＡＤ装置の表示画面に、様々な色の３次元仮想物体が混在して表示されている場合であっても、目盛線に予め付された色に依存することなく、目盛線に付加された陰影によって、電子スケールの目盛線が容易に視認される。又、仮想配置される光源の位置、照射方向、明るさ等が変化した場合でも、目盛線に付加される陰影の向きや濃さは変化するものの、陰影そのものは付加されるため、目盛線の視認性が低下することはない。従って、様々な３次元仮想物体の寸法が、精度よく測定されることとなる。
【発明の効果】
【０００８】
本発明はこのように構成したので、電子スケールの目盛線の視認性を向上することができ、様々な３次元仮想物体の寸法を精度よく測定することが可能となる。
【図面の簡単な説明】
【０００９】
【図１】本発明の実施の形態に係る３次元電子スケールのプログラムにより表示される、３次元電子スケールの一例を模式的に示すイメージ図であり、（ａ）は正面方向から示した図、（ｂ）は（ａ）の符号Ａで示す部分を斜視方向から示した拡大図、（ｃ）は（ｂ）の符号Ｂで示す部分の拡大図である。
【図２】本発明の実施の形態に係る３次元電子スケールのプログラムにより表示される、３次元電子スケールの図１とは別の例を示すイメージ図であり、（ａ）は斜視方向から示した図、（ｂ）は（ａ）の符号Ｃで示す部分の拡大図、（ｃ）は（ｂ）の符号Ｄで示す部分の拡大図である。
【図３】本願発明を３次元ＣＡＤ装置として表現した場合の、構成の一例を示すブロック図である。
【発明を実施するための形態】
【００１０】
以下、本発明の実施の形態を図面に基づき説明する。ここで、図面の全体にわたって、同一又は対応する部分については、同一の符号で示している。
図１には、本発明の実施の形態に係る３次元電子スケールのプログラムによって、３次元ＣＡＤ装置の表示画面に表示させる、３次元電子スケール１０を模式的に示している。図示のように、３次元電子スケール１０は、３次元の立体形状、図１の例では矩形の板状を成しており、３次元ＣＡＤ装置の表示画面に、任意の位置及び任意の３軸角度で表示される。又、３次元電子スケール１０は、その主面１０ａと裏面１０ｂとの双方に、目盛線１２が凹状に刻み込まれている。より詳しくは、目盛線１２は、図１（ａ）における上下方向と直交する方向の断面が略三角状であり、かつ、その３次元電子スケール１０の厚み方向最深部の頂角が鋭角になった（すなわち、先端部１２ａが尖った）、凹条に設けられている。このため、目盛線１２は、３次元ＣＡＤ装置の表示画面内に仮想配置される光源の光を受けて、陰影が付加されている。なお、目盛線１２の先端部１２ａは、目盛線１２の幅方向（図１（ａ）の左右方向）の中央に位置している。又、目盛線１２は、３次元電子スケール１０に所定の寸法毎に設けられる主目盛線と、主目盛線の間に主目盛線よりも短く設けられる副目盛線とを含んでいる。
【００１１】
又、本発明の実施の形態に係る３次元電子スケールのプログラムにより表示する３次元電子スケール１０は、設計データ等に基づいて３次元ＣＡＤ装置の表示画面に表示される３次元仮想物体と、同じ倍率の座標系に配置されるようになっている。これは、例えば、表示画面に表示している３次元仮想物体の倍率を、本発明の実施の形態に係るプログラムによって読み込み、３次元電子スケール１０に反映すること等によって実現される。又、３次元電子スケール１０は、寸法値１８が、目盛線１２と同様に、凹状に刻み込まれている。更に、寸法値１８を、主面１０ａと裏面１０ｂとの双方に設けることで、３次元電子スケール１０が、主面１０ａと裏面１０ｂとが表裏逆になる角度で表示画面に表示された場合であっても、何ら支障なく寸法測定が行えるようにしてもよい。
【００１２】
続いて、図２には、本発明の実施の形態に係る３次元電子スケールのプログラムによって、３次元ＣＡＤ装置の表示画面に表示させる、図１の３次元電子スケール１０とは別例の、３次元電子スケール２０を模式的に示している。図示のように、３次元電子スケール２０は、四角柱状を成しており、３次元電子スケール１０と同様に、３次元ＣＡＤ装置の表示画面に、任意の位置及び任意の３軸角度で表示される。又、３次元電子スケール２０は、３次元電子スケール１０と異なり、２つの周囲面２０ａ、２０ｂに沿って、目盛線２２が凸状に設けられている。より詳しくは、目盛線２２は、長尺方向と直交する方向の断面が略三角状であり、かつ、その先端の頂角が鋭角になった（すなわち、先端部２２ａが尖った）、凸条に設けられている。このため、目盛線２２は、３次元ＣＡＤ装置の表示画面内に仮想配置される光源の光を受けて、陰影が付加されている。なお、目盛線２２の先端部２２ａは、目盛線２２の幅方向（図２の上下方向）の中央に位置している。又、目盛線２２は、３次元電子スケール２０に所定の寸法毎に設けられる主目盛線と、主目盛線の間に主目盛線よりも短く設けられる副目盛線とを含んでいる。
【００１３】
又、３次元電子スケール２０は、３次元電子スケール１０と同様に、３次元ＣＡＤ装置の表示画面に表示される３次元仮想物体と、同じ倍率の座標系に配置されるようになっており、更に、寸法値２８が、周囲面２０ａ、２０ｂに凸状に設けられている。なお、３次元電子スケール２０の、周囲面２０ａ、２０ｂと反対側の２つの周囲面にも、凸状の目盛線２２と凸状の寸法値２８とを設けることとしてもよい。このようにすることで、３次元電子スケール２０は、何れの周囲面が視認される角度で表示された場合であっても、何ら支障なく３次元仮想物体の寸法測定に用いられる。
【００１４】
さて、上記構成をなす本発明の実施の形態によれば、次のような作用効果を得ることが可能である。すなわち、本発明の実施の形態に係る３次元電子スケールのプログラムは、図１及び図２に示すように、３次元ＣＡＤ装置において、設計データ等を読み込んで表示画面に表示される３次元仮想物体の寸法を測定するための電子スケールとして、凹状の目盛線１２又は凸状の目盛線２２を有する３次元電子スケール１０、２０を表示画面に表示させるものである。すなわち、電子スケール１０、２０自体を立体的に表示させ、かつ、その目盛線１２、２２を凹条等（図１参照）、又は凸条等（図２参照）に表示させる。
【００１５】
これにより、ＣＡＤ装置の表示画面内に仮想配置される光源からの光を受けることによって、電子スケール１０、２０の目盛線１２、２２に陰影が付加され、目盛線１２、２２の視認性を向上することができる。このため、３次元ＣＡＤ装置の表示画面に、様々な色の３次元仮想物体が混在して表示されている場合であっても、目盛線１２、２２に予め付された色に依存することなく、目盛線１２、２２に付加された陰影によって、電子スケール１０、２０の目盛線１２、２２を容易に視認することができる。又、仮想配置される光源の位置、照射方向、明るさ等が変化した場合でも、目盛線１２、２２に付加される陰影の向きや濃さは変化するものの、陰影そのものは付加されるため、目盛線１２、２２の視認性が低下することはない。従って、様々な３次元仮想物体の寸法を、精度よく測定することが可能となる。
【００１６】
又、本発明の実施の形態に係る３次元電子スケールのプログラムにより表示する、３次元電子スケール１０、２０は、凹状の目盛線１２の先端部１２ａ、又は凸状の目盛線２２の先端部２２ａが、尖って表示されるものである。更に、目盛線１２の先端部１２ａは、目盛線１２の幅方向の中央に位置しており、目盛線２２の先端部２２ａは、目盛線２２の幅方向の中央に位置している。これにより、３次元電子スケール１０、２０が、例えば図１（ｃ）又は図２（ｃ）のように、拡大して表示された場合であっても、仮想配置される光源の光を受けて付加される陰影により、目盛線１２の先端部１２ａ、又は目盛線２２の先端部２２ａを、目盛線１２又は２２の中央部として、容易に視認することができる。又、３次元電子スケール１０、２０が、例えば図１（ａ）又は図２（ａ）のように、縮小して表示された場合であっても、拡大して表示された場合と同様に、目盛線１２の先端部１２ａ、又は目盛線２２の先端部２２ａを、目盛線１２又は２２の中央部として、容易に視認することができる。このように、３次元ＣＡＤ装置の表示画面において、３次元電子スケール１０、２０を拡大又は縮小しても、目盛線１２、２２の視認性が低下することはないため、３次元仮想物体の寸法測定を精度よく行うことができる。
【００１７】
更に、３次元電子スケール１０、２０は、設計データ等に基づいて３次元ＣＡＤ装置の表示画面に表示される３次元仮想物体と、同じ倍率の座標系に配置されるよう、プログラムされているものである。すなわち、３次元仮想物体の表示倍率が変更されると、それに追従するようにして、３次元仮想物体と同じ表示倍率に３次元電子スケール１０、２０の表示倍率が変更される。このため、表示倍率を別途設定する従来の電子スケールと異なり、３次元仮想物体と異なる表示倍率で、３次元電子スケール１０、２０が表示されることはない。これにより、３次元仮想物体の誤測定を抑制することができ、３次元仮想物体の表示倍率が変更されても、常に精度よく寸法を測定することができる。
【００１８】
又、３次元電子スケール１０、２０は、目盛線１２、２２と同様に、寸法値１８、２８が凹状又は凸状に設けられていることで、寸法値１８、２８に対しても陰影が付加される。このため、寸法値１８、２８の視認性を向上することができ、寸法値１８、２８の読み間違えを抑制することができる。
なお、３次元電子スケール１０、２０の目盛線１２、２２は、断面が三角状の凹条や凸条に限定されるものではなく、例えば、突き合わせにより先端部１２ａ、２２ａを規定する２つの面が、曲面であってもよい。更に、３次元電子スケール１０は、例えば、主面１０ａに設けられた凹状の目盛線１２の先端部１２ａが、裏面１０ｂに達する深さとなる態様としてもよく、或いは、先端部１２ａに加えて、図１における下方向の端部も尖った形状に設けられていてよい。すなわち、本発明の実施の形態に係る３次元電子スケールのプログラムにより表示する、３次元電子スケール１０、２０は、目盛線１２、２２が凹状又は凸状であれば、その具体的な形状は特に限定されないものである。
【００１９】
又、本願発明を、その主旨を踏襲しながら、例えば３次元ＣＡＤ装置として表現すると、「３次元ＣＡＤデータを取り扱う３次元ＣＡＤ装置であって、表示部と、前記３次元ＣＡＤデータで表現される３次元仮想物体、及び、該３次元仮想物体の寸法を測定するための３次元電子スケールを、前記表示部へ表示させる演算処理部と、を含み、前記３次元電子スケールは、凹状又は凸状の目盛線を有することを特徴とする３次元ＣＡＤ装置。」となる。すなわち、この３次元ＣＡＤ装置３０は、図３に示すように、表示部３２と演算処理部３４とを含む構成となる。更に、演算処理部３４が、３次元ＣＡＤデータで表現される３次元仮想物体を、表示部３２へ表示するための３次元仮想物体処理部３４ａと、３次元仮想物体の寸法を測定するための３次元電子スケールを、表示部３２へ表示するための３次元電子スケール処理部３４ｂとを備えている。このような構成であっても、上述した本発明の実施の形態に係る３次元電子スケールのプログラムと同等の作用効果を奏することは、理解されるであろう。
【符号の説明】
【００２０】
１０、２０：３次元電子スケール、１２、２２：目盛線
【図１】
2017126119.tif 000003
【図２】
2017126119.tif 000004
【図３】
2017126119.tif 000005